(57)【要約】      （修正有）【課題】右利きの人や左利きの人の区別なく、ファイルを傷つけたり、破損することなく書類その他のシート状物を簡単に挟み込んだり、抜き取ることができるクリアファイルを提供する。【解決手段】書類その他のシート状物を一方のシート２と他方のシート３との間に挟み込んで収容するクリアファイル１であり、一方のシート２の繋がっていない少なくとも１つの縁辺に、一方のシート２と他方のシート３との間にあるシート状物の一部分を露出させるための一方の切欠部２ａを形成し、他方のシート３の繋がっていない一方のシート２と同じ少なくとも１つの縁辺に、シート状物の一部分を露出させるための他方の切欠部３ａを形成し、一方の切欠部２ａと他方の切欠部３ａとが離間した位置である。【選択図】図２
2014213568.tif 000002
【特許請求の範囲】
【請求項１】
書類その他のシート状物を一方のシートと他方のシートとの間に挟み込んで収容するクリアファイルであり、
前記一方のシートと前記他方のシートとが折曲縁辺で繋がっており、
前記折曲縁辺に隣り合う下縁辺に沿って設けられる溶着部により前記一方のシートと前記他方のシートとが接合されることでできた接合縁辺でも繋ぎ合わされており、
前記一方のシートの繋がっていない少なくとも１つの縁辺に、前記一方のシートと前記他方のシートとの間にあるシート状物の一部分を露出させるための一方の切欠部を形成し、
前記他方のシートの繋がっていない前記一方のシートと同じ少なくとも１つの縁辺に、 前記シート状物の一部分を露出させるための他方の切欠部を形成し、
前記一方の切欠部と前記他方の切欠部とが離間した位置であることを特徴とするクリアファイル。
【請求項２】
前記一方の切欠部と前記他方の切欠部は、
前記折曲縁辺または前記接合縁辺に隣接する縁辺において、
前記縁辺の繋がっていない側に位置することを特徴とする請求項１に記載のクリアファイル。
【請求項３】
前記一方の切欠部と前記他方の切欠部は、平面視円弧状であることを特徴とする請求項１または請求項２に記載のクリアファイル。
【発明の詳細な説明】
【技術分野】
【０００１】
この発明は、書類その他のシート状物を挟み込んで収容するためのクリアファイルに関するものである。
【背景技術】
【０００２】
クリアファイルは、その表面シート及び裏面シートの間に書類その他のシート状物を挟み込んで収容するものである。一般的には、クリアファイルは、ポリプロピレンなどの各種合成樹脂製のシート材料を使用して、その表面シートと裏面シートとがそれぞれ形成されている（特許文献１）。
【先行技術文献】
【特許文献】
【０００３】
【特許文献１】実用新案登録第３１５３８５７号公報
【発明の概要】
【発明が解決しようとする課題】
【０００４】
このようなクリアファイルは、シートを２枚重ね、その間に書類を挟んで使用し、色、柄は多様であるがほとんどの物は透明であり、外側の書類その他のシート状物が見えるようになっている。留め具がない分大変軽く、薄いつくりであるが、その反面、挟める書類その他のシート状物の限度は少なく、強度もあまり強くはなく、あくまで一時的な分類、整理のためのファイルである。このファイルを傷つけたり、破損することなく書類その他のシート状物を簡単に挟み込んだり、抜き取るために切欠部が形成されているが、右利きの人と、左利きの人ではクリアファイルの表側が反対になるが右利き専用であり、左利きの人が使用する場合には切欠部がないために不便であった。
【０００５】
この発明は、かかる点に鑑みてなされたもので、右利きの人や左利きの人の区別なく、ファイルを傷つけたり、破損することなく書類その他のシート状物を簡単に挟み込んだり、抜き取ることができるクリアファイルを提供することを目的としている。
【課題を解決するための手段】
【０００６】
前記課題を解決し、かつ目的を達成するために、この発明は、以下のように構成した。
【０００７】
請求項１に記載の発明は、書類その他のシート状物を一方のシートと他方のシートとの間に挟み込んで収容するクリアファイルであり、
前記一方のシートと前記他方のシートとが折曲縁辺で繋がっており、
前記折曲縁辺に隣り合う下縁辺に沿って設けられる溶着部により前記一方のシートと前記他方のシートとが接合されることでできた接合縁辺でも繋ぎ合わされており、
前記一方のシートの繋がっていない少なくとも１つの縁辺に、前記一方のシートと前記他方のシートとの間にあるシート状物の一部分を露出させるための一方の切欠部を形成し、
前記他方のシートの繋がっていない前記一方のシートと同じ少なくとも１つの縁辺に、  前記シート状物の一部分を露出させるための他方の切欠部を形成し、
前記一方の切欠部と前記他方の切欠部とが離間した位置であることを特徴とするクリアファイルである。
【０００８】
請求項２に記載の発明は、前記一方の切欠部と前記他方の切欠部は、
前記折曲縁辺または前記接合縁辺に隣接する縁辺において、
前記縁辺の繋がっていない側に位置することを特徴とする請求項１に記載のクリアファイルである。
【０００９】
請求項３に記載の発明は、前記一方の切欠部と前記他方の切欠部は、平面視円弧状であることを特徴とする請求項１または請求項２に記載のクリアファイルである。
【発明の効果】
【００１０】
前記構成により、この発明は、以下のような効果を有する。
【００１１】
請求項１に記載の発明では、一方のシートの繋がっていない少なくとも１つの縁辺に、一方のシートと他方のシートとの間にあるシート状物の一部分を露出させるための一方の切欠部を形成し、他方のシートの繋がっていない一方のシートと同じ少なくとも１つの縁辺に、シート状物の一部分を露出させるための他方の切欠部を形成し、一方の切欠部と他方の切欠部とが離間した位置であるから、右利きの人は一方の切欠部を用い、左利きの人は他方の切欠部を用いることで、右利きの人や左利きの人の区別なく、ファイルを傷つけたり、破損することなく書類その他のシート状物を簡単に挟み込んだり、抜き取ることができる。
【００１２】
請求項２に記載の発明では、一方の切欠部と他方の切欠部は、折曲縁辺または接合縁辺に隣接する縁辺において、縁辺の繋がっていない側に位置することで、ファイルの開閉が容易であり、書類その他のシート状物を簡単に挟み込んだり、抜き取ることができる。
【００１３】
請求項３に記載の発明では、一方の切欠部と他方の切欠部は、平面視円弧状であり、角部がなく、破損が起こりにくく耐久性が向上する。
【図面の簡単な説明】
【００１４】
【図１】第１の実施の形態であるクリアファイルを示した図であり、（ａ）は正面図であり、（ｂ）は平面図であり、（ｃ）は右側面図である。
【図２】クリアファイルのシートの展開平面図である。
【図３】クリアファイルの使用状態を示した図であり、（ａ）は右利きの人が使用する場合の図であり、（ｂ）は左利きの人が使用する場合の図である。
【図４】第２の実施の形態であるクリアファイルを示した図であり、（ａ）は正面図であり、（ｂ）は平面図であり、（ｃ）は右側面図である。
【図５】クリアファイルのシートの展開平面図である。
【図６】クリアファイルの使用状態を示した図であり、（ａ）は右利きの人が使用する場合の図であり、（ｂ）は左利きの人が使用する場合の図である。
【発明を実施するための形態】
【００１５】
以下、この発明のクリアファイルの実施の形態について説明する。この発明の実施の形態は、発明の最も好ましい形態を示すものであり、この発明はこれに限定されない。
【００１６】
（第１の実施の形態）
この実施の形態のクリアファイルを、図１乃至図３に基づいて説明する。図１はクリアファイルを示した図であり、図１（ａ）は正面図であり、図１（ｂ）は平面図であり、図１（ｃ）は右側面図である。図２はクリアファイルのシートの展開平面図である。図３はクリアファイルの使用状態を示した図であり、図３（ａ）は右利きの人が使用する場合の図であり、図３（ｂ）は左利きの人が使用する場合の図である。
【００１７】
図１に示すように、クリアファイル１は、書類、用紙その他のシート状物２０を収容可能なものであり、かかるシート状物２０を全体的に挟み込むためにシート状物２０の平面サイズよりも僅かに大きな平面サイズを有した右利きの人にとって、表面となる一方のシート２及び裏面となる他方のシート３を備えている。このクリアファイル１は、Ａ４サイズであるが、Ｂ５サイズでもよく、大きさは限定されない。
【００１８】
このクリアファイル１は、図２に示すように所定の形状をしたシート１０を、その横幅方向のほぼ中央に位置する折曲げ線１１に沿って折り曲げて重ね合わせ、その二つ折りにしたシート１０の表側部分を一方のシート２とし、その裏側部分を他方のシート３としたものである。一般的には、クリアファイル１のシート１０は、ポリプロピレンなどの各種合成樹脂製のシート材料を使用して、その一方のシート２と他方のシート３とがそれぞれ形成されているが、紙と合成樹脂を混合したものでも、紙のみでもよい。また、この実施の形態では、一方のシート２及び他方のシート３の双方を半透明としたが、いずれか一方を半透明として他方を不透明としても良い。
【００１９】
このクリアファイル１は、一方のシート２と他方のシート３とが折曲げ線１１のある左縁辺の折曲縁辺５で繋がっており、更に、図１（ａ）に示すように、折曲縁辺５に隣り合う下縁辺に沿って設けられる複数の溶着部６ａにより一方のシート２と他方のシート３とが接合されることでできた接合縁辺６でも繋ぎ合わされている。
【００２０】
ここで、複数の溶着部６ａは、熱溶着、高周波熱溶着、又は、超音波溶着などの各種溶着手段により一方のシート２及び他方のシート３を接合したものである。なお、超音波溶着によるシート１０の溶着は、シート１０の合成樹脂成分の組成比率の値まで高められることで実現される。
【００２１】
このようにして製造されたクリアファイル１は、その折曲縁辺５及び接合縁辺６の２つの縁辺が塞がれている。これに対し、クリアファイル１は、その接合縁辺６の対辺に相当する上縁辺７ａ，７ｂと、その折曲縁辺５の対辺に相当する右縁辺８ａ，８ｂとが開放されている。
【００２２】
一方のシート２の右縁辺の上縁辺側には平面視円弧状の切欠部２ａが形成されており、この切欠部２ａから一方のシート２と他方のシート３との間にあるシート状物２０の一部分が露出され（図３参照）、シート状物２０が抜き取り易くなっている。一方のシート２の接合縁辺６の右縁辺側には、小形状切欠部２ｃが形成され、一方のシート２を開くときに応力が集中しないようになっている。
【００２３】
他方のシート３の右縁辺の上縁辺側にも平面視円弧状の切欠部３ａが形成されており、この切欠部３ａから一方のシート２と他方のシート３との間にあるシート状物２０の一部分が露出され（図３参照）、シート状物２０が抜き取り易くなっている。一方の切欠部２ａと他方の切欠部３ａとが離間した位置であり、この実施の形態では一方の切欠部２ａが他方の切欠部３ａより上方位置に形成されているが、下方位置に形成してもよい。他方のシート３の接合縁辺６の右縁辺側には、小形状切欠部３ｃが形成され、他方のシート３を開くときに応力が集中しないようになっている。
【００２４】
このクリアファイル１によれば、隣り合う上縁辺７ａ，７ｂ及び右縁辺８ａ，８ｂが開放されていることから、図３（ａ）に示すように、右利きの人は一方のシート２の切欠部２ａに指先を挿入して上縁辺７ａ及び右縁辺８ａを開き、これらの上縁辺７ａ及び右縁辺８ａから書類などのシート状物２０を表面シート２及び裏面シート３間へ挿入して挟み込んで収容させることができる。また、書類その他のシート状物２０を抜き取る場合には、切欠部２ａから一方のシート２と他方のシート３との間にあるシート状物２０の一部分が露出されており、切欠部２ａから指先でシート状物２０を容易に抜き取ることができる。
【００２５】
また、このクリアファイル１によれば、図３（ｂ）に示すように、左利きの人は他方のシート３の切欠部３ａに指先を挿入して上縁辺７ｂ及び右縁辺８ｂを開き、これらの上縁辺７ｂ及び右縁辺８ｂから書類などのシート状物２０を表面シート２及び裏面シート３間へ挿入して挟み込んで収容させることができる。また、書類その他のシート状物２０を抜き取る場合には、切欠部３ａから一方のシート２と他方のシート３との間にあるシート状物２０の一部分が露出されており、切欠部３ａから指先でシート状物２０を容易に抜き取ることができる。
【００２６】
（第２の実施の形態）
この実施の形態のクリアファイルを、図４乃至図６に基づいて説明する。図４はクリアファイルを示した図であり、図４（ａ）は正面図であり、図４（ｂ）は平面図であり、図４（ｃ）は右側面図である。図５はクリアファイルのシートの展開平面図である。図６はクリアファイルの使用状態を示した図であり、図６（ａ）は右利きの人が使用する場合の図であり、図６（ｂ）は左利きの人が使用する場合の図である。
【００２７】
図４に示すように、クリアファイル１は、第１の実施の形態と同様に構成されるが、一方のシート２の上縁辺の右縁辺側には平面視円弧状の切欠部２ｂが形成されており、この切欠部２ｂから一方のシート２と他方のシート３との間にあるシート状物２０の一部分が露出され（図３参照）、シート状物２０が抜き取り易くなっている。
【００２８】
他方のシート３の上縁辺の右縁辺側にも平面視円弧状の切欠部３ｂが形成されており、この切欠部３ｂから一方のシート２と他方のシート３との間にあるシート状物２０の一部分が露出され（図３参照）、シート状物２０が抜き取り易くなっている。一方の切欠部２ｂと他方の切欠部３ｂとが離間した位置であり、この実施の形態では一方の切欠部２ｂが他方の切欠部３ｂより折曲縁辺５に近い位置に形成されているが、遠い位置に形成してもよい。
【００２９】
このクリアファイル１によれば、隣り合う上縁辺７ａ，７ｂ及び右縁辺８ａ，８ｂが開放されていることから、図６（ａ）に示すように、右利きの人は一方のシート２の切欠部２ｂに指先を挿入して上縁辺７ａ及び右縁辺８ａを開き、これらの上縁辺７ａ及び右縁辺８ａから書類などのシート状物２０を表面シート２及び裏面シート３間へ挿入して挟み込んで収容させることができる。また、書類その他のシート状物２０を抜き取る場合には、切欠部２ｂから一方のシート２と他方のシート３との間にあるシート状物２０の一部分が露出されており、切欠部２ｂから指先でシート状物２０を容易に抜き取ることができる。
【００３０】
また、このクリアファイル１によれば、図６（ｂ）に示すように、左利きの人は他方のシート３の切欠部３ｂに指先を挿入して上縁辺７ｂ及び右縁辺８ｂを開き、これらの上縁辺７ｂ及び右縁辺８ｂから書類などのシート状物２０を表面シート２及び裏面シート３間へ挿入して挟み込んで収容させることができる。また、書類その他のシート状物２０を抜き取る場合には、切欠部３ｂから一方のシート２と他方のシート３との間にあるシート状物２０の一部分が露出されており、切欠部３ｂから指先でシート状物２０を容易に抜き取ることができる。
【００３１】
このように、右利きの人は一方の切欠部２ａ，２ｂを用い、左利きの人は他方の切欠部３ａ，３ｂを用いることで、右利きの人や左利きの人の区別なく、ファイルを傷つけたり、破損することなく書類その他のシート状物２０を簡単に挟み込んだり、抜き取ることができる。
【００３２】
また、一方の切欠部２ａ，２ｂと他方の切欠部３ａ，３ｂは、折曲縁辺または接合縁辺に隣接する縁辺において、縁辺の繋がっていない側に位置することで、ファイルの開閉が容易であり、書類その他のシート状物を簡単に挟み込んだり、抜き取ることができる。この一方の切欠部２ａ，２ｂと他方の切欠部３ａ，３ｂは、特に平面視円弧状である場合には、一部に応力が集中しないので、破損が起こりにくく耐久性が向上する。なお、この実施の形態の切欠部は、平面視円弧状が好ましいが、四角などの矩形状、三角形状、半楕円弧状などでもよい。
【００３３】
また、この実施の形態では、１枚のシート１０を折曲げることによって、一方のシート２と他方のシート３とを作り出したが、必ずしも１枚のシートを折り曲げるばかりでなく、例えば、２枚のシートを重ね合わせて、その重なり合ったシートにおける隣合う２つの縁辺を溶着により接合することで、クリアファイルを形成するようにしても良い。
【００３４】
かかる場合、一方のシートと他方のシートとは必ずしも同じ種類のシートである必要はなく、異なるタイプのシートを組み合わせるようにしても良い。
【００３５】
しかも、このとき、シートのインク吸着層の形成面をクリアファイルの外側面となるようにすれば、クリアファイル内に収容されたシート状物に印刷されているインクや顔料がクリアファイルのシートの内側面に付着してこれを汚損することを防止でき、かかる汚損による表面シートの光透過性の低下を防止することもできる。
【産業上の利用可能性】
【００３６】
この発明は、書類その他のシート状物を挟み込んで収容するためのクリアファイルに適用でき、右利きの人や左利きの人の区別なく、ファイルを傷つけたり、破損することなく書類その他のシート状物を簡単に挟み込んだり、抜き取ることができる。
【符号の説明】
【００３７】
１  クリアファイル
２  一方のシート
２ａ，２ｂ，３ａ，３ｂ  切欠部
３  他方のシート
５  折曲縁辺
６  接合縁辺
６ａ  溶着部
７ａ，７ｂ  上縁辺
８ａ，８ｂ  右縁辺
１０  シート
１１  折曲げ線
２０  シート状物
【図１】
2014213568.tif 000003
【図２】
2014213568.tif 000004
【図３】
2014213568.tif 000005
【図４】
2014213568.tif 000006
【図５】
2014213568.tif 000007
【図６】
2014213568.tif 000008